(57)【要約】【課題】収納される商品の底面に対して緩衝効果を発揮して衝撃から保護する。【解決手段】包装用ケースは、側壁片１０を四角筒状に形成した箱本体１と、内側片２０を箱本体１の内面に沿って四角筒状に形成した保持筒部２と、箱本体１の下方開口部を閉塞する底蓋３と、上方開口部を閉塞する上蓋４とを備える。底蓋３は、対向する側壁片１０に連結された第一底フラップ３１及び第二底フラップ３２からなる。第一底フラップ３１は、閉塞プレート部３３と接着部３４とを備え、第二底フラップ３２に接着されて底蓋片３０を形成している。第一底フラップ３１は、対向する底蓋片３０の内側に積層されるラップ部３７に、箱本体１の内面側に突出する突出部３８を連設して設けている。突出部３８は、箱本体１の底面から側壁片１０の内面に跨がって架設されて傾斜支持部５を形成しており、保持筒部２に収納される商品９の下端縁を傾斜支持部５で支持している。【選択図】図１
2015009884.tif 000002
【特許請求の範囲】
【請求項１】
商品を収納するための箱状の包装用ケースであって、
互いに第一折り線を介して連設された第一片、第二片、第三片、及び第四片からなる４つの側壁片を前記第一折り線で折曲して四角筒状に形成された箱本体(1)と、
前記第四片に第一折り線を介して連設されて、互いに第二折り線を介して連設された第五片、第六片、第七片、及び第八片からなる４つの内側片を、前記箱本体の内面に沿って配置すると共に、前記第二折り線で折曲して四角筒状に形成された保持筒部と、
前記箱本体の下端縁に連設されて、前記箱本体の下方開口部を閉塞する底蓋と、
前記箱本体の上端縁に連設されて、前記箱本体の上方開口部を閉塞する上蓋と
を備え、
前記底蓋は、前記４つの側壁片の下端縁に第三折り線を介して連設された４つの底フラップで構成されており、前記４つの底フラップは、互いに対向する側壁片に連結された二組の第一底フラップ及び第二底フラップからなり、
前記第一底フラップは、前記第三折り線を介して前記側壁片に連結された閉塞プレート部と、前記閉塞プレート部に第五折り線を介して連設された接着部とを備え、前記接着部が、対向する前記第二底フラップに接着されて、該第一底フラップと該第二底フラップとで折り畳み可能な底蓋片が形成されており、
前記底蓋片を、前記第五折り線と前記第三折り線で折り畳んで、前記箱本体の内部に収納する状態で、前記箱本体を筒状から平面状に折り畳み可能とすると共に、
平面状に折り畳まれた前記箱本体を筒状に組み立てる状態では、前記底蓋片が平面状に展開されて、一対の底蓋片で箱本体の下方開口部を閉塞するようにしており、
さらに、前記第一底フラップは、前記底蓋片で前記箱本体の下方開口部を閉塞する状態で、対向する底蓋片の内側に積層されるラップ部を備えており、
前記ラップ部は、前記箱本体の内面側に突出する突出部を連設して設けており、前記突出部は、対向する側壁片または内側片の内面に当接する突出高さ（ｔ）を有すると共に、前記箱本体の底面から該側壁片または該内側片の内面に跨がって架設されて傾斜支持部を形成しており、前記保持筒部に収納される商品の下端縁を、前記傾斜支持部で支持するようにしてなることを特徴とする包装用ケース。
【請求項２】
請求項１に記載の包装用ケースであって、
前記保持筒部は、前記内側片の底蓋側が切除されてカット領域が形成されてなることを特徴とする包装用ケース。
【請求項３】
請求項２に記載の包装用ケースであって、
前記カット領域における底蓋からの切り込み深さ（Ｄ）を、前記底フラップの最大高さ（Ｔ）よりも大きくしており、
前記箱本体を筒状から平面状に折り畳む状態で、対向する側壁片の内側に折り畳まれる底蓋片が前記カット領域内に配置されることを特徴とする包装用ケース。
【請求項４】
請求項１から３のいずれか一に記載の包装用ケースであって、
前記突出部が、前記保持筒部の幅方向の中央領域に対向して設けられてなることを特徴とする包装用ケース。
【請求項５】
請求項１から４のいずれか一に記載の包装用ケースであって、
前記第一底フラップは、前記ラップ部の側縁に第六折り線を介して前記突出部を連設しており、前記突出部が前記第六折り線で折曲されて前記側壁片または内側片の内面に架設されてなることを特徴とする包装用ケース。
【請求項６】
請求項５に記載の包装用ケースであって、
前記第六折り線が、対向する側壁片の第三折り線に対して略平行に設けられてなることを特徴とする包装用ケース。
【請求項７】
請求項１から６のいずれか一に記載の包装用ケースであって、
前記第一片の内側面に前記第五片の外側面を接着して、第一片、第二片、第三片、及び第四片で四角筒状の箱本体を形成すると共に、
前記第四片の内側面に前記第八片の外側面を接着して、第五片、第六片、第七片、及び第八片で四角筒状の保持筒部を形成してなることを特徴とする包装用ケース。
【請求項８】
請求項１ないし７のいずれか一に記載の包装用ケースであって、
前記内側片の幅（Ｈ）を前記側壁片の幅（Ｗ）よりも小さくしており、前記保持筒部の外周面と前記箱本体との間に隙間を設けてなることを特徴とする包装用ケース。
【請求項９】
請求項８に記載の包装用ケースであって、
前記保持筒部を、前記箱本体の側壁片の二辺側に偏在して配置しており、前記保持筒部の外周面と前記箱本体の内周面との間に水平断面視Ｌ字状の隙間を設けてなることを特徴とする包装用ケース。
【請求項１０】
請求項１ないし９のいずれか一に記載の包装用ケースであって、
前記保持筒部が、前記内側片に内部側に突出する凸部を設けており、前記凸部を介して保持筒部に収納される商品の側面を保持してなることを特徴とする包装用ケース。
【請求項１１】
請求項９に記載の包装用ケースであって、
前記保持筒部を、前記箱本体の第一片と第四片の二辺側に偏在して配置しており、
前記第六片と前記第七片の外側にＬ字状の隙間を設けると共に、前記第五片と第六片には内部側に突出する凸部を設けており、前記凸部を介して保持筒部に収納される商品の側面を保持してなることを特徴とする包装用ケース。
【請求項１２】
請求項１０または１１に記載の包装用ケースであって、
前記凸部が、型押しによって形成されてなることを特徴とする包装用ケース。
【請求項１３】
請求項１から１２のいずれか一に記載の包装用ケースであって、
前記内側片の上端縁に第八折り線を介して内蓋フラップを連設しており、前記内蓋フラップを前記上蓋の内側に配置することを特徴とする包装用ケース。
【請求項１４】
請求項１から９のいずれか一に記載の包装用ケースであって、
前記箱本体の底面から該側壁片または該内側片の内面に跨がって架設される傾斜支持部の底蓋に対する傾斜角（α）が３０度ないし６０度であることを特徴とする包装用ケース。
【請求項１５】
請求項１から１４のいずれか一に記載の包装用ケースであって、
前記第一底フラップに形成された前記突出部の突出高さ（ｔ）が、前記第一底フラップが連設された前記側壁片の幅（Ｗ）の１／１０ないし１／３であることを特徴とする包装用ケース。
【請求項１６】
請求項９または１１に記載の包装用ケースであって、
前記第一底フラップは、前記ラップ部の側縁に第六折り線を介して前記突出部を連設しており、
前記第一底フラップに形成された前記突出部のうち、前記Ｌ字状の隙間に対向して配置される突出部の突出高さ（ｔ２）が反対側に配置される突出部の突出高さ（ｔ１）よりも大きく、かつ、前記Ｌ字状の隙間に対向して配置される突出部の第六折り線と、対向する第三折り線との間隔（ｋ２）が、反対側に配置される突出部の第六折り線と、対向する第三折り線との間隔（ｋ１）よりも広いことを特徴とする包装用ケース。
【発明の詳細な説明】
【技術分野】
【０００１】
本発明は、商品を収納可能な包装用ケースに関し、例えばガラス瓶やボトル容器のような商品の包装、搬送に適した包装用ケースに関する。
【背景技術】
【０００２】
従来より、軟膏や化粧品、薬品等を収納するための蓋付きの寸胴形容器として、ガラス瓶や陶器などが利用されている。このような容器を収納する包装用のケースを紙製の箱形にする場合は、衝撃吸収作用が弱いため、エアキャップを巻く等の処置が必要であった。
これに対して本願出願人は、容器を二重にすることで衝撃吸収力を持たせた包装用ケースを開発した（特許文献１参照）。
【０００３】
この包装用ケースは、図１２に示すように、外殻を形成する第１乃至第４片１１１、１１２、１１３、１１４および内殻の一部を形成する第５片１１５を互いに折り線ａ、ｂ、ｃ、ｄを介して連設し、続いて内殻を形成する第５乃至第８片１１５、１１６、１１７、１１８を互いに切込み折り線ｗ、ｘ、ｙを介して連設し、その第５乃至第８片１１５、１１６、１１７、１１８に、その上縁中央部に切り抜きを形成するとともにエンボスＥ１、Ｅ２、Ｅ３、Ｅ４を形成し、上記第１乃至第４片１１１、１１２、１１３、１１４の上縁に上蓋を形成するフラップ１２１、１２２、１２３、１２４を、第１乃至第４片１１１、１１２、１１３、１１４の下縁、又は第５乃至第８片１１５、１１６、１１７、１１８の下縁のいずれかに底蓋を形成するフラップ１３１、１３２、１３３、１３４を、折り線ｅ，ｅ’、ｆ、ｆ’、ｇ、ｇ’、ｈ、ｈ’を介して連設して展開形状の台紙１１０とし、この台紙１１０を第８片１１８から第１片１１１にむけて折り畳んで図１３に示す形状に製函している。
【０００４】
さらに、この包装用ケースは、第５乃至第８片１１５、１１６、１１７、１１８の少なくとも向き合う二片の上縁中央にＶ字状の上記切り込みＶ１を形成し、その両サイドに平行で同一長さのスリットＳを入れ、そのスリットＳの下端を結ぶ線上で折り畳んで折り返し片１２５とし、その折り返し片１２５のＶ字状切り込みＶ１が、その対辺の縁に届かないようにしている。
【０００５】
この包装用ケースによれば、包装用ケースの構造を二重構造とすると共に、内殻を構成する部分にエンボスを形成することで、ガラス製や陶器製の容器が衝撃から保護される。また、内殻を形成する各片の上縁中央部に切り抜き部を設けることにより、収納される容器の蓋体が衝撃から保護され、説明書が入れ易くなる。
【先行技術文献】
【特許文献】
【０００６】
【特許文献１】特許第４４３４８５１号公報
【発明の概要】
【発明が解決しようとする課題】
【０００７】
しかしながら、上記の包装用ケースでは、ケースの側面に対しては緩衝効果を発揮できるものの、底面においては緩衝効果を発揮できないという欠点があった。特に瓶状の容器を収納する場合は、包装用ケースを置く際に、また誤って落下させた際に、どうしても底面に衝撃を受け易く、底面に対して緩衝効果を発揮できる構造が切望されていた。
【０００８】
本発明は、従来のこのような問題点に鑑みてなされたものである。本発明の主な目的は、収納される商品の底面に対して緩衝効果を発揮して衝撃から保護できる包装用ケースを提供することにある。
【課題を解決するための手段及び発明の効果】
【０００９】
以上の目的を達成するため、本発明は、商品９を収納するための箱状の包装用ケースであって、互いに第一折り線２１を介して連設された第一片１１、第二片１２、第三片１３、及び第四片１４からなる４つの側壁片１０を前記第一折り線２１で折曲して四角筒状に形成された箱本体１と、前記第四片１４に第一折り線２１を介して連設されて、互いに第二折り線２２を介して連設された第五片１５、第六片１６、第七片１７、及び第八片１８からなる４つの内側片２０を、前記箱本体１の内面に沿って配置すると共に、前記第二折り線２２で折曲して四角筒状に形成された保持筒部２と、前記箱本体１の下端縁に連設されて、前記箱本体１の下方開口部を閉塞する底蓋３と、前記箱本体１の上端縁に連設されて、前記箱本体１の上方開口部を閉塞する上蓋４とを備えている。前記底蓋３は、前記４つの側壁片１０の下端縁に第三折り線２３を介して連設された４つの底フラップで構成されており、前記４つの底フラップは、互いに対向する側壁片１０に連結された二組の第一底フラップ３１及び第二底フラップ３２からなる。前記第一底フラップ３１は、前記第三折り線２３を介して前記側壁片１０に連結された閉塞プレート部３３と、前記閉塞プレート部３３に第五折り線３５を介して連設された接着部３４とを備え、前記接着部３４が、対向する前記第二底フラップ３２に接着されて、該第一底フラップ３１と該第二底フラップ３２とで折り畳み可能な底蓋片３０が形成されている。包装用ケースは、前記底蓋片３０を、前記第五折り線３５と前記第三折り線２３で折り畳んで、前記箱本体１の内部に収納する状態で、前記箱本体１を筒状から平面状に折り畳み可能とすると共に、平面状に折り畳まれた前記箱本体１を筒状に組み立てる状態では、前記底蓋片３０が平面状に展開されて、一対の底蓋片３０で箱本体１の下方開口部を閉塞するようにしている。さらに、前記第一底フラップ３１は、前記底蓋片３０で前記箱本体１の下方開口部を閉塞する状態で、対向する底蓋片３０の内側に積層されるラップ部３７を備えており、前記ラップ部３７は、前記箱本体１の内面側に突出する突出部３８を連設して設けている。前記突出部３８は、対向する側壁片１０または内側片２０の内面に当接する突出高さ（ｔ）を有すると共に、前記箱本体１の底面から該側壁片１０または該内側片２０の内面に跨がって架設されて傾斜支持部５を形成しており、前記保持筒部２に収納される商品９の下端縁を、前記傾斜支持部５で支持するようにしている。
【００１０】
上記構成により、箱本体の内面に沿って設けた保持筒部によって商品の側面を保護しつつ、包装用ケースの底蓋を底ワンタッチ構造として製函作業を容易にし、さらに、底フラップに突出部を設けたことで、底蓋の形成時において包装用ケースの内面に突出部の先端を当接させて傾斜支持部を形成し、これでもって包装用ケースに収納された商品の底面を押し上げる方向に応力が作用させて、底面において緩衝効果を発揮することができる。
【００１１】
本発明の包装用ケースにおいて、前記保持筒部２は、前記内側片２０の底蓋３側を切除してカット領域２６を形成することができる。
上記構成により、底蓋片を折り畳んで箱本体の内部に収納する際に、底蓋片と内側片との重なりを少なくして、箱本体をスムーズに折り畳みできる。
【００１２】
本発明の包装用ケースは、前記カット領域２６における底蓋３からの切り込み深さ（Ｄ）を、前記底フラップの最大高さ（Ｔ）よりも大きくして、前記箱本体１を筒状から平面状に折り畳む状態で、対向する側壁片１０の内側に折り畳まれる底蓋片３０を前記カット領域２６内に配置することができる。
上記構成により、底蓋片を折り畳んで箱本体の内部に収納する際に、保持筒部を形成する内側片が底蓋片の変形や移動を妨げる事態を緩和して、箱本体をスムーズに平面状に折り畳みでき、また、平面状に折り畳まれた箱本体をスムーズに筒状に組み立てできる。
【００１３】
本発明の包装用ケースは、前記突出部３８を、前記保持筒部２の幅方向の中央領域に対向して設けることができる。
上記構成により、突出部を保持筒部の中央領域に対向して架設して傾斜支持部を設けることで、保持筒部で保持される商品の下端縁を確実に支持することができる。とくに、収納される商品が保持筒部の内面と接する部分の下端を傾斜支持部で確実に支持できる。
【００１４】
本発明の包装用ケースは、前記第一底フラップ３１が、前記ラップ部３７の側縁に第六折り線３６を介して前記突出部３８を連設して、前記突出部３８を前記第六折り線３６で折曲して前記側壁片１０または内側片２０の内面に架設することができる。
上記構成により、突出部を第六折り線で折曲することで、傾斜支持部を安定して架設することができる。
【００１５】
本発明の包装用ケースは、前記第六折り線３６を、対向する側壁片１０の第三折り線２３に対して略平行に設けらることができる。
上記構成により、第六折り線で折曲される突出部を、対向する側壁片または内側片に安定して架設しながら、収納される商品の下端を安定して支持できる。
【００１６】
本発明の包装用ケースは、前記第一片１１の内側面に前記第五片１５の外側面を接着して、第一片１１、第二片１２、第三片１３、及び第四片１４で四角筒状の箱本体１を形成し、前記第四片１４の内側面に前記第八片１８の外側面を接着して、第五片１５、第六片１６、第七片１７、及び第八片１８で四角筒状の保持筒部２を形成することができる。
上記構成により、互いに連設された第一片ないし第八片を第一折り線及び第二折り線で折曲しながら、第一片と第五片を接着して四角筒状の箱本体を形成し、第四片と第八片とを接着して四角筒状の保持筒部を形成するので、簡単かつ容易に、しかも接着箇所を少なくしながら二重筒構造の包装用ケースを形成できる。
【００１７】
本発明の包装用ケースは、前記内側片２０の幅（Ｈ）を前記側壁片１０の幅（Ｗ）よりも小さくして、前記保持筒部２の外周面と前記箱本体１との間に隙間６を設けることができる。
上記構成により、商品が収納される保持筒部と、箱本体との間に隙間を設けることで、商品の衝撃を隙間で吸収しながら保護できる。
【００１８】
本発明の包装用ケースは、前記保持筒部２を、前記箱本体１の側壁片１０の二辺側に偏在して配置して、前記保持筒部２の外周面と前記箱本体１の内周面との間に水平断面視Ｌ字状の隙間６を設けることができる。
上記構成により、商品が収納される保持筒部の二辺と箱本体との間に隙間を設けることで、商品の縦横の両方向に対する衝撃をＬ字状の隙間で吸収しながら商品を理想的に保護できる。
【００１９】
本発明の包装用ケースは、前記保持筒部２が、前記内側片２０に内部側に突出する凸部２５を備えて、前記凸部２５を介して保持筒部２に収納される商品９の側面を保持することができる。
上記構成により、保持筒部に収納される商品を凸部に当接させながら保持することにより優れた緩衝効果を実現しながら保持できる。
【００２０】
本発明の包装用ケースは、前記保持筒部２を、前記箱本体１の第一片１１と第四片１４の二辺側に偏在して配置し、前記第六片１６と前記第七片１７の外側にＬ字状の隙間６を設けると共に、前記第五片１５と第六片１６には内部側に突出する凸部２５を設けて、前記凸部２５を介して保持筒部２に収納される商品９の側面を保持することができる。
上記構成により、保持筒部を箱本体の第一片と第四片側に偏在させて、保持筒部の第六片と第七片の外側にＬ字状の隙間を設けることで、商品の縦横の両方向に対する衝撃をＬ字状の隙間で吸収しながら、保持筒部の第五片と第八片に設けた凸部を商品に当接させることで、包装される商品の保護効果を高めることができる。
【００２１】
本発明の包装用ケースは、前記凸部２５を、型押しによって形成することができる。
上記構成により、エンボス加工等の型押しによって凸部を容易に形成できる。
【００２２】
本発明の包装用ケースは、前記内側片２０の上端縁に第八折り線２８を介して内蓋フラップ２７を連設し、前記内蓋フラップ２７を前記上蓋４の内側に配置するができる。
上記構成により、収納される商品の上面側を、内蓋フラップと上蓋の二重構造として保護できる。
【００２３】
本発明の包装用ケースは、前記箱本体１の底面から前記側壁片１０または前記内側片２０の内面に跨がって架設される傾斜支持部５の底蓋３に対する傾斜角（α）を３０度ないし６０度とすることができる。
上記構成により、包装用ケースに収納された商品の下端縁を、傾斜支持部の傾斜面で安定して支持でき、包装用ケースの底面における優れた緩衝効果を発揮できる。
【００２４】
本発明の包装用ケースは、前記第一底フラップ３１に形成された前記突出部３８の突出高さ（ｔ）を、前記第一底フラップ３１が連設された前記側壁片１０の幅（Ｗ１）の１／１０ないし１／３とすることができる。
【００２５】
本発明の包装用ケースは、前記第一底フラップ３１が、前記ラップ部３７の側縁に第六折り線３６を介して前記突出部３８を連設すると共に、前記第一底フラップ３１に形成された前記突出部３８のうち、前記Ｌ字状の隙間６に対向して配置される突出部３８’の突出高さ（ｔ２）を反対側に配置される突出部３８の突出高さ（ｔ１）よりも大きくすると共に、前記Ｌ字状の隙間６に対向して配置される突出部３８’の第六折り線３６と、対向する第三折り線２３との間隔（ｋ２）を、反対側に配置される突出部３８の第六折り線３６と、対向する第三折り線２３との間隔（ｋ１）よりも広くすることができる。
上記構成により、箱本体に内部に保持筒部を偏在して配置しながら、保持筒部に収納される商品の下端の両側を一対の傾斜支持部でバランスよく支持できる。それは、Ｌ字状の隙間によって箱本体の内面から離れて収納される商品の下端を支持する傾斜支持部を大きくすると共に、その位置を対向する側壁片から離すことで、商品の下端の両側を同一レベルで支持できるからである。
【図面の簡単な説明】
【００２６】
【図１】本発明の実施例１にかかる包装用ケースの斜視図である。
【図２】図１に示す包装用ケースの水平断面図である。
【図３】図２に示す包装用ケースのＩＩＩ−ＩＩＩ線断面図である。
【図４】図１に示す包装用ケースの底面図である。
【図５】図１に示す包装用ケースの展開図である。
【図６】包装用ケースを筒状に組み立てる工程を示す斜視図である。
【図７】傾斜支持部の他の一例を示す拡大断面図である。
【図８】図７に示す包装用ケースの底蓋の拡大展開図である。
【図９】本発明の実施例２にかかる包装用ケースの水平断面図である。
【図１０】図９に示す包装用ケースの底面図である。
【図１１】図９に示す包装用ケースの展開図である。
【図１２】従来の包装用ケースの展開図である。
【図１３】従来の包装用ケースの斜視図である。
【発明を実施するための形態】
【００２７】
以下、本発明の実施の形態を図面に基づいて説明する。ただし、以下に示す実施の形態は、本発明の技術思想を具体化するための包装用ケースを例示するものであって、本発明は包装用ケースを以下のものに特定しない。さらに、本明細書においては、特許請求の範囲を理解しやすいように、実施例に示される部材に対応する番号を、「特許請求の範囲」および「課題を解決するための手段」の欄に示される部材に付記している。ただ、特許請求の範囲に示される部材を、実施の形態の部材に特定するものでは決してない。特に実施の形態に記載されている構成部材の寸法、材質、形状、その相対的配置等は、特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。また、一部の実施例、実施形態において説明された内容は、他の実施例、実施形態等に利用可能なものもある。
【００２８】
（実施例１）
本発明の実施例１の形態に係る包装用ケースを図１ないし図６に示す。図１は包装用ケースの斜視図を、図２は包装用ケースの水平断面図を、図３は包装用ケースの垂直断面図を、図４は包装用ケースの底面図を、図５は包装用ケースの展開図を、図６は包装用ケースを組み立てる状態の斜視図をそれぞれ示している。なお、図１においては、包装用ケースの内部構造を理解しやすくするために、内部を太線で表示して透視した図としている。
【００２９】
図１ないし図３に示す包装用ケースは、４つの側壁片１０を四角筒状に連結してなる箱本体１と、この箱本体１の内部に設けられて、４つの内側片２０を四角筒状に連結してなる保持筒部２と、箱本体１の下方開口部を閉塞する底蓋３と、箱本体１の上方開口部を閉塞する上蓋４とを備えている。これ等の図に示す包装用ケースは、図２と図３の鎖線で示すように、内部にボトル状の商品９を収納して定位置に保持する。ボトル状の商品９は、例えば、ガラス瓶や陶器等の容器に、薬品や飲料、調味料等を内容物として収納したものが使用できる。ただ、本発明は、必ずしも商品の容器をガラス瓶や陶器等の割れ物に限定する必要はなく、プラスチック製や金属製の容器とすることもできる。
【００３０】
図１ないし図３に示す包装用ケースは、図５に示す１枚のパターンシート８を組み立てて製函される。図の包装用ケースは、パターンシート８として、紙製のシート材を裁断して製作している。紙製のシート材で製作される包装用ケースは、安価で加工しやすく、表面に簡単に印刷できる特徴がある。また、使用後に廃棄する際には、潰したり破断することによって嵩張らないようにコンパクトにし易く、可燃ゴミとして処分しやすい特徴もある。ただ、包装用ケースは、紙に代わって、プラスチックシートで製作することもできる。プラスチックシートからなるパターンシートも、展開図に示すパターンに裁断して製作される。プラスチックシートで製作される包装用ケースは、優れた強度と耐水性を実現できる。
【００３１】
紙製またはプラスチック製のシート材は、図５に示すように、所定のパターンに裁断された後、折り線において所定の向きに折曲され、さらに、所定の位置で互いに連結、固定されて、図１ないし図３に示す立体形状に製函される。紙製のシート材からなるパターンシート８は、ホットメルト等の接着剤で接着して所定の形状とすることができる。プラスチック製のシート材からなるパターンシートは、接着剤で接着し、あるいは溶着して所定の形状とすることができる。
【００３２】
さらに、図に示す包装用ケースは、底面の製函作業を容易にするために、底蓋３の構造を、底ワンタッチやオートボトムと呼ばれる構造としている。この構造の包装用ケースは、パターンシート８を折曲及び接着する工程では、箱本体１や底蓋３を平面状に折り畳まれた状態とし、箱本体１を筒状に組み立てる工程に伴って、底蓋３が形成される構造としている。図に示す包装用ケースは、底蓋３を箱本体１の内部に折り畳み自在な構造としている。この包装用ケースは、図６に示すように、箱本体１を平面状に折り畳まれた状態から筒状に組み立てる状態では、折り畳まれていた底蓋３を平面状に展開して、箱本体１の下方開口部を底蓋３で閉塞する構造としている。
【００３３】
（箱本体１）
箱本体１は、図１ないし図４に示すように、４つの側壁片１０を側縁で連結して全体の形状を四角筒状としている。箱本体１を形成する４つの側壁片１０は、図５の展開図に示すように、第一片１１、第二片１２、第三片１３、及び第四片１４からなり、これらの側壁片１０を互いに第一折り線２１を介して連設している。図１ないし図４に示す箱本体１は、４つの側壁片１０を第一折り線２１で直角に折曲して、底面の形状を方形状とする筒状としている。図の箱本体１は、４つの側壁片１０の幅をほぼ等しくして、底面の形状を正方形としている。
【００３４】
箱本体１は、その内部に、４つの側壁片１０で形成される水平断面視方形状の外装空間１９を形成している。箱本体１は、この外装空間１９内に商品９を収納する。したがって、箱本体１は、商品９を内部に収納できる大きさに設計される。さらに、箱本体１は、外装空間１９に収納される商品９を定位置に保持する保持筒部２を外装空間１９内に設けている。図に示す箱本体１は、側壁片１０の内面に沿って四角筒状の保持筒部２を設けており、この保持筒部２の内側に水平断面視方形状の収納空間２９を設けている。
【００３５】
（保持筒部２）
保持筒部２は、４つの内側片２０を連結して四角筒状に形成している。保持筒部２を形成する４つの内側片２０は、図５の展開図に示すように、第五片１５、第六片１６、第七片１７、及び第八片１８からなり、これらの内側片２０を互いに第二折り線２２を介して連設している。また、第五片１５の一方の側縁は、第一折り線２１を介して、箱本体１の第四片１４の一方の側縁に連設している。すなわち、パターンシート８は、４つの側壁片１０と４つの内側片２０とを、第一折り線２１と第二折り線２２を介して連設して、全体を１枚のシート状としている。図の包装用ケースは、互いに連設された第一片１１ないし第八片１８を、第八片１８を内側として第二折り線２２及び第一折り線２１で折曲して二重筒構造に形成している。箱本体１の内側に形成される保持筒部２は、４つの内側片２０を第二折り線２２で直角に折曲して、水平断面視を略方形状とする筒状としている。図の保持筒部２は、４つの内側片２０の幅をほぼ等しくして、水平断面形状を略正方形としている。
【００３６】
さらに、包装用ケースは、筒状に折曲された第一片１１ないし第八片１８を部分的に接着して所定の形状に保形している。図に示す包装用ケースは、第一片１１の内側面に第五片１５の外側面を接着して連結し、第一片１１、第二片１２、第三片１３、及び第四片１４で四角筒状の箱本体１を形成すると共に、第四片１４の内側面に第八片１８の外側面を接着して連結し、第五片１５、第六片１６、第七片１７、及び第八片１８で四角筒状の保持筒部２を形成している。図５に示すパターンシート８は、図のクロスハッチングで示すように、第五片１５と第八片１８の外周面に糊代５１を設けており、この糊代１５にホットメルト等の接着剤を塗布して互いに接着している。図５に示す内側片２０は、第五片１５の両側縁部に、第二折り線２２に沿って上下方向に伸びる糊代５１を設けている。この構造は、第五片１５を第一片１１に確実に接着して、筒状の箱本体１を形成できる。また、図５の内側片２０は、第八片１８の一方の側縁部であって、第二折り線２２に接近して、上下方向に伸びる糊代５１を設けている。この構造は、第八片１８の第二折り線２２側を第四片１４に接着することで、筒状の保持筒部２２を確実に形成できる。
【００３７】
以上のように、第一片１１ないし第八片１８を折り線で折曲すると共に、部分的に接着して箱本体１と保持筒部２を形成するする構造は、接着箇所を少なくしながら、二重筒構造の包装用ケースを簡単に形成できる。
【００３８】
さらに、図２に示す包装用ケースは、図５に示すように、内側片２０の幅（Ｈ）を側壁片１０の幅（Ｗ）よりも小さくしており、保持筒部２の外周面と箱本体１との間に隙間６を設けている。ここで、隙間６の幅（ｓ）は、箱本体１の大きさや収納される商品によっても変更されるが、例えば、箱本体１の１辺の幅（Ｗ）の０％〜２０％、好ましくは、５％〜１０％程度とすることができる。
【００３９】
図２に示す包装用ケースは、保持筒部２を、箱本体１の内部であって、互いに連設された側壁片１０の二片側に偏在して配置している。図２に示す包装用ケースは、第五片１５と第一片１１を接着し、第八片１８と第四片１４を接着するので、保持筒部２を箱本体１の第一片１１と第四片１４側に偏在させており、第六片１６と第七片１７の外側であって、第二片１２と第三片１３の内側にＬ字状の隙間６を形成している。このように、保持筒部２と箱本体１との間に隙間６を設ける構造は、この保持筒部２に収納される商品９に作用する衝撃を隙間６で吸収して保護できる特徴がある。保持筒部の二辺の沿うＬ字状の隙間６を設けることで、商品の縦横の両方向に対する衝撃を吸収しながら保護できる特徴がある。ただ、本発明の包装用ケースは、必ずしも箱本体と保持筒部の間に設ける隙間をＬ字状には限定しない。包装用ケースは、箱本体と保持筒部の間に、保持筒部の一辺に沿う隙間を設け、あるいは、保持筒部の三辺に沿う隙間を設けることもできる。
【００４０】
以上のように、保持筒部２と箱本体１との間に隙間６を有する包装用ケースは、この隙間６を、取扱説明書等の収納スペースとすることもできる。この包装用ケースは、隙間に収納される取扱説明書等の収納物を、商品に作用する衝撃を吸収する緩衝材に兼用して、更に効果的に商品を保護できる特徴がある。
【００４１】
さらに、図１ないし図３、及び図５に示す保持筒部２は、第五片１５と第六片１６に、内部側に突出する凸部２５を設けており、この凸部２５を介して保持筒部２に収納される商品９の側面を保持している。図に示す保持筒部２は、第五片１５と第六片１６の幅方向の中央部であって、上下方向に帯状に延びる凸部２５を設けている。このような凸部２５として、例えば、エンボス加工等の型押しによって容易に形成することができる。このように、内側壁２０の幅方向の中央部に凸部２５を設ける構造は、保持筒部２に収納される商品９の外周面を確実に保持できる特徴がある。また、凸部２５を上下方向に延長することで、より広い面積で商品９を安定して保持できる特徴がある。とくに、図２に示す包装用ケースは、Ｌ字状の隙間６によって衝撃が吸収されやすい第七片１７及び第八片１８と対向する第五片１５及び第六片１６に凸部２５を設けるので、第六片１６と第七片１７側の衝撃をＬ字状の隙間６で吸収し、第五片１５と第六片１６側の衝撃を凸部２５で吸収でき、全ての方向の衝撃を理想的に吸収できる。ただ、保持筒部は、図示しないが、他の内側片の内部にも凸部を設けることができる。保持筒部は、例えば、全ての内側片の内部に凸部を形成することもできる。
【００４２】
さらに、図１ないし図３、及び図５に示す保持筒部２は、内側片２０の底蓋側を切除してカット領域２６を形成している。このように、内側片２０の底蓋側にカット領域２６を形成する構造は、後述する底蓋片３０を折り畳んで箱本体１の内部に収納する際に、底蓋片３０と内側片２０との重なりを少なくして、箱本体１をスムーズに折り畳みできる。図５に示す内側片２０は、カット領域２６における底蓋３からの切り込み深さ（Ｄ）を、底蓋片３０を構成する第一底フラップ３１の最大高さ（Ｔ）よりも大きくしている。この構造は、対向する側壁片１０の内側に折り畳まれる底蓋片３０を、カット領域２６内に収納できるので、保持筒部２を形成する内側片２０が、底蓋片３０の変形や移動を妨げるのを確実に阻止して、箱本体をスムーズに平面状に折り畳みでき、また、平面状に折り畳まれた箱本体をスムーズに筒状に組み立てできる。
【００４３】
ただ、保持筒部は、内側片に設けるカット領域の切り込み深さ（Ｄ）を、必ずしも第一底フラップの最大高さ（Ｔ）よりも大きくする必要はなく、カット領域を小さくすることもできる。この構造の保持筒部は、内側片を広くして、商品の底部を安定して保護できる。また、保持筒部は、必ずしも内側片の底蓋側にカット領域を設ける必要はなく、カット領域を省略することもできる。この保持筒部は、底蓋片を折り畳んで箱本体の内部に収納する際には、底蓋片を対向する内側片の内側に収納する。
【００４４】
（底蓋３）
底蓋３は、４つの側壁片１０の下端縁に第三折り線２３を介して連設された４つの底フラップで構成されている。４つの底フラップは、互いに対向する側壁片１０に連結された二組の第一底フラップ３１及び第二底フラップ３２を備えている。図に示す底蓋３は、対向する第一底フラップ３１と第二底フラップ３２を互いに連結して底蓋片３０を形成しており、一対の底蓋片３０で箱本体１の下方開口部を閉塞する構造としている。一対の底蓋片３０は、箱本体１の内部に折り畳み自在な構造としている。折り畳み自在な底蓋片３０は、図６に示すように、折り畳んで箱本体１の内部に収納する状態で、箱本体１を筒状から平面状に折り畳み可能とし、また、平面状に折り畳まれた箱本体１を筒状に組み立てる状態では、底蓋片３０を平面状に展開して、一対の底蓋片３０で箱本体１の下方開口部を閉塞できる。
【００４５】
第一底フラップ３１は、第三折り線２３を介して側壁片１０に連結された閉塞プレート部３３と、この閉塞プレート部３３に第五折り線３５を介して連設された接着部３４とを備えている。図に示す閉塞プレート部３３は、側壁片１０との境界線を下底とする略台形状としており、一方の側縁に接着部３４を連接して、第一底フラップ３１全体の形状を先端をＶ字状に窪ませたＶ字状フラップとしている。接着部３４、第二底フラップ３２の一方の側縁と第三折り線２３に沿う形状、図においては略五角形状としており、第二底フラップ３２の下面に接着されるようにしている。図５に示す接着部３４は、図において裏面側に糊代５２を設けており、この部分に塗布される接着剤を介して第二底フラップ３２の下面に積層状態で接着される。
【００４６】
第二底フラップ３２は、側壁片１０との境界線を下底とする台形状としている。台形状の第二底フラップ３２は、第一底フラップ３１の接着部３４が下面に接着される状態で、第一底フラップ３１側の側縁と上底とを、閉塞プレート部３３の内側に積層させている。
【００４７】
以上の第一底フラップ３１と第二底フラップ３２は、接着部３４を介して互いに接着されて、折り畳み可能な底蓋片３０が形成される。第一底フラップ３１と第二底フラップ３２で形成される底蓋片３０は、第五折り線３５を介して折曲されて、互いに積層状態に折り畳まれる。図５の第一底フラップ３１は、閉塞プレート部３３と接着部３４との境界線である第五折り線３５を、側壁片１０との境界線である第三折り線２３に対して約４５度傾斜させている。この底蓋片３０は、第五折り線３５の傾斜角を約４５度とすることで、図６に示すように、第一底フラップ３１と第二底フラップ３２とを積層する状態に折り畳んで、箱本体１の内側にスムーズに収納できるようにしている。
【００４８】
さらに、第一底フラップ３１は、底蓋片３０で箱本体１の下方開口部を閉塞する状態では、対向する底蓋片３０の内側に積層されるラップ部３７を備えている。図に示す第一底フラップ３１は、閉塞プレート部３３の先端部であって、接着部３４と反対側をラップ部として、対向する底蓋片の内側に挿入するようにしている。一対の底蓋片３０は、一方の底蓋片３０の第一底フラップ３１のラップ部３７を、他方の底蓋片３０の第二底フラップ３２の内側に挿入すると共に、一方の底蓋片３０の第二底フラップ３２の内側に、他方の底蓋片３０の第一底フラップ３１のラップ部３７が挿入されることによって、互いに交差する姿勢で接合されて、箱本体１の下方開口部を閉塞する。
【００４９】
一対の底蓋片３０は、図４に示すように、第一底フラップ３１と第二底フラップ３２が平面状に展開される状態では、接合部３９において交差する状態で接合されて、箱本体１の下方開口部を閉塞する底蓋３を形成する。図に示す接合部３９は、方形状の底面における対角線の交点に位置しており、第一底フラップ３１の先端縁に設けたＶ字状の溝の最深部としている。ここで、図４の底面図に示す底蓋３は、底蓋片３０の構造をわかりやすくするために、一対の底蓋片３０のうち、一方の底蓋片のみを太線で表示している。図において太線で表示される底蓋片３０は、細線で表示される底蓋片３０に接合部３９において交差する状態で接合されて箱本体１の下方開口部を閉塞する。
【００５０】
（傾斜支持部５）
さらに、包装用ケースは、箱本体１の底部であって、底蓋３との境界部分に、保持筒部２に収納される商品９の下端を支持する傾斜支持部５を備えている。図に示す第一底フラップ３１は、ラップ部３７の側縁に、箱本体１の内面側に突出する突出部３８を連設しており、この突出部３８を箱本体１の内面側に架設して傾斜支持部５を設けている。この突出部３８は、対向する側壁片１０の内面に当接する突出高さ（ｔ）を有しており、図３に示すように、箱本体１の底面から側壁片１０内面に跨がって架設されて傾斜支持部５を形成している。図に示す第一底フラップ３１は、ラップ部３７の側縁に第六折り線３６を介して突出部３８を連設しており、突出部３８を第六折り線３６で折曲して側壁片１０の内面に架設させるようにしている。このように、突出部３８を第六折り線３６で折曲させる構造は、傾斜支持部５を安定して架設することができる。ただ、突出部は、ラップ部に対して折曲させることなく、湾曲姿勢で側壁片に架設することもできる。図に示す第一底フラップ３１は、第六折り線３６を、対向する側壁片２０の第三折り線２３に対して略平行に設けており、第六折り線３６に対する突出部３８の突出高さ（ｔ）を、この第六折り線３６と、対向する第三折り線２３との間隔（ｋ）よりも大きくしている。この傾斜支持部５は、第六折り線３６で折曲される突出部３８を、対向する側壁片１０に安定して架設させて、保持筒部２に収納される商品９の下端縁を安定して支持できる。
【００５１】
図に示す第一底フラップ３１は、突出部３８の突出高さ（ｔ）を、第一底フラップ３１が連設された側壁片１０の幅（Ｗ）の約１／８としている。ただ、突出部３８の突出高さ（ｔ）は、側壁片１０の幅（Ｗ）の１／１０ないし１／３とすることができる。また、図３に示す傾斜支持部５は、箱本体１の底面に対する傾斜角（α）を約３５度としている。ただ、傾斜支持部の傾斜角（α）は、３０度ないし６０度とすることができる。傾斜支持部５は、突出部３８の突出高さ（ｔ）と傾斜角（α）を以上の範囲とすることで、包装用ケースに収納された商品９の下端縁を傾斜面で安定して支持でき、包装用ケースの底面における優れた緩衝効果を発揮できる。
【００５２】
さらに、図に示す突出部３８は、保持筒部２の幅方向の中央領域に対向して設けている。この構造は、突出部３８を保持筒部２の中央領域に対向して架設して傾斜支持部５を設けることができる。このため、保持筒部２で保持される商品９の下端縁を確実に支持することができる。
【００５３】
さらに、保持筒部２と箱本体１の間に隙間６を設ける構造の包装用ケースにおいては、図７と図８に示すように、傾斜支持部５の大きさを変更することができる。図に示す包装用ケースは、第一底フラップ３１に形成された突出部３８、３８’のうち、隙間６に対向して配置される突出部３８’の突出高さ（ｔ２）を反対側に配置される突出部３８の突出高さ（ｔ１）よりも大きくしている。さらに、図の包装用ケースは、隙間６に対向して配置される突出部３８’の第六折り線３６と、対向する第三折り線２３との間隔（ｋ２）を、反対側に配置される突出部３８の第六折り線３６と、対向する第三折り線２３との間隔（ｋ１）よりも広くしている。この構造の包装用ケースは、隙間６によって箱本体１の内面から離れて収納される商品９の下端を支持する傾斜支持部５’を大きくすると共に、その位置を対向する側壁片１０から離しているので、隙間６により箱本体１の内部に偏在して収納される商品９であっても、下端の両側を一対の傾斜支持部５でバランスよく支持できる特徴がある。
【００５４】
以上の包装用ケースは、第二片１２及び第四片１４の下端縁に第一底フラップ３１を連設すると共に、第一片１１及び第三片１３の下端縁に第二底フラップ３２を連設しており、第二片１２及び第四片１４に設けた第一底フラップ３１の突出部３８を、それぞれ第三片１３及び第一片１１の内面に当接させて傾斜支持部５を形成する構造としている。ただ、包装用ケースは、第一片１１及び第三片１３の下端縁に第一底フラップ３１を連設すると共に、第二片１２及び第四片１４の下端縁に第二底フラップ３２を連設し、第一片１１及び第三片１３に設けた第一底フラップ３１の突出部３８を、それぞれ第四片１４及び第二片１２の内面に当接させて傾斜支持部５を形成することもできる。
【００５５】
さらに、以上の包装用ケースは、保持筒部２の底蓋側にカット領域２６を設けているので、突出部３８の先端を箱本体１の内面である側壁片１０に架設して傾斜支持部５を形成している。ただ、前述のように、保持筒部の底蓋側にカット領域を設けていない包装用ケースは、突出部の先端を保持筒部の内面である内側片に架設して傾斜支持部を形成することができる。
【００５６】
（上蓋４）
上蓋４は、箱本体１の上端縁に連結して設けられている。図に示す包装用ケースは、側壁片１０の上端縁に上フラップを連設して設けており、この上フラップで箱本体１の上端開口部を閉塞する上蓋４を形成している。図に示す包装用ケースは、第一片１１の上端縁に第一上フラップ４１を、第二片１２の上端縁に第二上フラップ４２を、第三片１３の上端縁に第三上フラッ４３を、各々第四折り線２４を介して連設している。第一上フラップ４１と第三上フラップ４３は、第四折り線２４で折曲された状態で、箱本体１の上方開口部を閉塞するように、先端部を互いに積層させる状態で配置している。第二上フラップ４２は、第四折り線２４を介して第二片１２の上端縁に連設された上蓋本体部４３と、この上蓋本体部４３の端縁に第七折り線４７を介して連設された挿入脱着片４４とを備えている。第二上フラップ４２の上蓋本体部４３は、箱本体１の上面とほぼ等しい外形の四角形としている。挿入脱着片４４は、上蓋本体部４３の先端縁に連設されており、第４片１４の内面側に抜き差し自在に挿入できるようにしている。
【００５７】
さらに、図に示す包装ケースは  内側片２０の上端縁に第八折り線２８を介して内蓋フラップ２７を連設している。図に示す内蓋フラップ２７は、箱本体１の上方開口部に収納されるように、箱本体１の内形よりも多少小さな外形としている。この内蓋フラップ２７は、上蓋４の内側に配置されており、収納される商品９の上面側を、内蓋フラップ２７と上蓋４の二重構造により保護している。
【００５８】
なお、以上の実施例において、第二折り線２２、第五折り線３５、第六折り線３６、及び第八折り線２８のいずれか、あるいは全てをハーフカットとすることができる。この構造は、パターンシート８に各折り線を簡単に設けることができると共に、パターンシート８を各折り線において確実に折曲しながら製函できる。
【００５９】
以上の実施例の包装用ケースは、箱本体１と保持筒部２の水平断面形状を正方形としている。この形状の包装用ケースは、円柱状ないし正四角柱状の商品９を収納できる。ただ、本発明の包装用ケースは、箱本体と保持筒部の水平断面形状を正方形には特定しない。包装用ケースは、箱本体と保持筒部の両方の水平断面形状を長方形とすることができ、あるいは、箱本体の水平断面形状を長方形として、保持筒部の水平断面形状を正方形とすることができ、あるいはまた、箱本体の水平断面形状を正方形として、保持筒部の水平断面形状を長方形とすることができる。
【００６０】
（実施例２）
図９ないし図１１に示す包装用ケースは、箱本体１の底面の形状を長方形とすると共に、箱本体１の内部に形成される保持筒部２の水平断面形状も長方形としている。底面を長方形とする箱本体１は、互いに対向する２組の側壁片１０のうち、一方の側壁片１０の幅（Ｗ１）に対して他方の側壁片１０の幅（Ｗ２）を広くしている。さらに、長方形の箱本体の内部に形成される保持筒部２についても、互いに対向する２組の内側片２０のうち、一方の側壁片１０の幅（Ｈ１）に対して他方の内側片２０の幅（Ｈ２）を広くしている。図１１に示すパターンシート８は、第二片１２と第四片１４の幅（Ｗ２）を第一片１１と第三片１３の幅（Ｗ１）よりも広くすると共に、第六片１６と第八片１８の幅（Ｈ２）を第五片１５と第七片１７の幅（Ｈ１）よりも広くしている。
【００６１】
これ等の図に示す包装用ケースも、底蓋３を一対の底蓋片３０で構成しており、各底蓋片３０を折り畳んで、積層する状態で箱本体１の内部に収納できるようにしている。図に示す底蓋３は、第一底フラップ３１の幅を第二底フラップ３２の幅よりも広くしており、第一底フラップ３１の先端部には段差部を設けて、この段差部のコーナーを接合部３９としている。図に示す第一底フラップ３１もラップ部３７の側縁に突出部３８を連設しており、この突出部３８を箱本体１の内面側に架設して傾斜支持部５を形成している。この包装用ケースも、箱本体１の底部であって底蓋３の両側に設けた傾斜支持部５によって、保持筒部２に収納される商品９の下端の両側を支持するようにしている。
【００６２】
図に示すように保持筒部の水平断面形状を長方形とする包装用ケースは、図９に示すように、水平断面形状を長円形ないし楕円形とし、あるいは略長方形とする容器を収納することができる。
【産業上の利用可能性】
【００６３】
本発明に係る包装用ケースは、ガラス瓶やボトル容器のような商品の包装、搬送に適した包装用ケースとして、好適に利用できる。
【符号の説明】
【００６４】
１…箱本体
２…保持筒部
３…底蓋
４…上蓋
５…傾斜支持部
５’…傾斜支持部
６…隙間
８…パターンシート
９…商品
１０…側壁片
１１…第一片
１２…第二片
１３…第三片
１４…第四片
１５…第五片
１６…第六片
１７…第七片
１８…第八片
１９…外装空間
２０…内側片
２１…第一折り線
２２…第二折り線
２３…第三折り線
２４…第四折り線
２５…凸部
２６…カット領域
２７…内蓋フラップ
２８…第八折り線
２９…収納空間
３０…底蓋片
３１…第一底フラップ
３２…第二底フラップ
３３…閉塞プレート部
３４…接着部
３５…第五折り線
３６…第六折り線
３７…ラップ部
３８…突出部
３８’…突出部
３９…接合部
４１…第一上フラップ
４２…第二上フラップ
４３…第三上フラップ
４４…上蓋本体部
４５…挿入脱着部
４７…第七折り線
５１…糊代
５２…糊代
１１０…台紙
１１１…第一片
１１２…第二片
１１３…第三片
１１４…第四片
１１５…第五片
１１６…第六片
１１７…第七片
１１８…第八片
１２１、１２２、１２３、１２４…フラップ
１２５…折り返し片
１３１、１３２、１３３、１３４…フラップ
ａ、ｂ、ｃ、ｄ…折り線
ｅ，ｅ’、ｆ、ｆ’、ｇ、ｇ’、ｈ、ｈ’…折り線
ｗ、ｘ、ｙ…切込み折り線
Ｅ１、Ｅ２、Ｅ３、Ｅ４…エンボス
Ｖ１…切り込み
Ｓ…スリット
【図１】
2015009884.tif 000003
【図２】
2015009884.tif 000004
【図３】
2015009884.tif 000005
【図４】
2015009884.tif 000006
【図５】
2015009884.tif 000007
【図６】
2015009884.tif 000008
【図７】
2015009884.tif 000009
【図８】
2015009884.tif 000010
【図９】
2015009884.tif 000011
【図１０】
2015009884.tif 000012
【図１１】
2015009884.tif 000013
【図１２】
2015009884.tif 000014
【図１３】
2015009884.tif 000015